(57)【要約】  無線接続チャンネルを介して移動端末と通信するサービング基地局と、そのサービング基地局を除いて、移動端末のアクティブセットとして決定された少なくとも１つのアクティブ基地局と、を含む移動通信システムのサービング基地局において、移動端末のサービスフローを管理する方法は、移動端末からサービスフロー管理要請を受信すると、移動端末とのサービスフローを更新するステップと、更新されたサービスフローを所定のメッセージを用いてアクティブ基地局に伝送するステップと、アクティブ基地局からの更新されたサービスフローの応答メッセージの受信時に、応答メッセージに含まれた各アクティブ基地局のサービスフロー情報を、移動端末に伝送するステップと、を含むことを特徴とする。
2007525925.tif 000002
【特許請求の範囲】
【請求項１】
無線接続チャンネルを介して移動端末と通信するサービング基地局と、前記サービング基地局を除いて、前記移動端末のアクティブセットとして決定された少なくとも１つのアクティブ基地局と、を含む移動通信システムの前記サービング基地局において、前記移動端末のサービスフローを管理する方法であって、
前記移動端末からサービスフロー管理要請を受信すると、前記移動端末とのサービスフローを更新するステップと、
前記更新されたサービスフローを所定のメッセージを用いて前記アクティブ基地局に伝送するステップと、
前記アクティブ基地局からの前記更新されたサービスフローの応答メッセージの受信時に、前記応答メッセージに含まれた各アクティブ基地局のサービスフロー情報を、前記移動端末に伝送するステップと、を含むことを特徴とする方法。
【請求項２】
前記移動端末からのサービスフロー管理要請がサービスフロー追加要請であれば、前記サービング基地局は、
前記移動端末とのサービスフローを追加するステップと、
前記追加されたサービスフローを所定のメッセージを用いて前記アクティブ基地局に伝送するステップと、
前記アクティブ基地局からの前記追加されたサービスフローの応答メッセージの受信時に、前記応答メッセージに含まれた各アクティブ基地局のサービスフロー情報を、前記移動端末に伝送するステップと、をさらに遂行することを特徴とする請求項１に記載の方法。
【請求項３】
前記移動端末からのサービスフロー管理要請がサービスフロー変更要請であれば、前記サービング基地局は、
前記移動端末とのサービスフローを変更するステップと、
前記変更されたサービスフローを所定のメッセージを用いて前記アクティブ基地局に伝送するステップと、
前記アクティブ基地局からの前記変更されたサービスフローの応答メッセージの受信時に、前記応答メッセージに含まれた各アクティブ基地局のサービスフロー情報を、前記移動端末に伝送するステップと、をさらに遂行することを特徴とする請求項１に記載の方法。
【請求項４】
前記移動端末からのサービスフロー管理要請がサービスフロー削除要請であれば、前記サービング基地局は、
前記移動端末とのサービスフローを削除するステップと、
前記削除されたサービスフローを所定のメッセージを用いて前記アクティブ基地局に伝送するステップと、
前記アクティブ基地局からの前記削除されたサービスフローの応答メッセージの受信時に、前記応答メッセージに含まれた各アクティブ基地局のサービスフロー情報を、前記移動端末に伝送するステップと、をさらに遂行することを特徴とする請求項１に記載の方法。
【請求項５】
前記移動端末からサービスフロー管理要請を受信すると、そのサービスフロー管理要請に応じて、所定のメッセージを前記移動端末に送信するステップをさらに含むことを特徴とする請求項１に記載の方法。
【請求項６】
前記サービング基地局が、前記アクティブ基地局に、自分がサービング基地局であることを知らせる所定の情報を含む応答メッセージを、前記移動端末に送信するステップと、
前記サービスフロー更新を要請した前記移動端末の情報を、前記アクティブ基地局に伝送するステップと、をさらに含むことを特徴とする請求項１に記載の方法。
【請求項７】
無線接続チャンネルを介してサービング基地局と通信する移動端末と、前記サービング基地局を除いて、前記移動端末のアクティブセットとして決定された少なくとも１つのアクティブ基地局と、を含む移動通信システムの前記移動端末において、サービスフローを管理する方法であって、
サービスフロー管理要請が発生すると、前記サービング基地局に所定のサービスフロー更新メッセージを伝送するステップと、
前記サービング基地局から前記サービスフロー更新メッセージに対する応答を受信し、その受信応答に基づいてサービスフローを更新するステップと、を含むことを特徴とする方法。
【請求項８】
前記サービスフロー管理要請がサービスフロー追加要請であれば、前記移動端末は、
前記サービング基地局にサービスフローを追加する所定のメッセージを伝送するステップと、
前記サービング基地局から前記追加されたサービスフローの応答を受信し、その受信応答に基づいて新規なサービスフローを追加するステップと、をさらに遂行することを特徴とする請求項７に記載の方法。
【請求項９】
前記サービスフロー管理要請がサービスフロー変更要請であれば、前記移動端末は、
前記サービング基地局にサービスフローを変更する所定のメッセージを伝送するステップと、
前記サービング基地局から前記変更されたサービスフローの応答を受信し、その受信応答に基づいてサービスフローを変更するステップと、をさらに遂行することを特徴とする請求項７に記載の方法。
【請求項１０】
前記サービスフロー管理要請がサービスフロー削除要請であれば、前記移動端末は、
前記サービング基地局にサービスフローを削除する所定のメッセージを伝送するステップと、
前記サービング基地局から前記削除されたサービスフローの応答を受信し、その受信応答に基づいてサービスフローを削除するステップと、をさらに遂行することを特徴とする請求項７に記載の方法。
【請求項１１】
無線接続チャンネルを介して移動端末と通信するサービング基地局と、前記移動端末のアクティブセットとして決定された少なくとも１つのアクティブ基地局と、を含む移動通信システムの前記サービング基地局において、前記移動端末のサービスフローを追加する方法であって、
前記移動端末からサービスフロー追加要請を受信すると、サービスフローＩＤを追加するステップと、
前記追加されたサービスフローＩＤを所定のメッセージを用いて前記アクティブ基地局に伝送するステップと、
前記アクティブ基地局からの前記追加されたサービスフローＩＤの応答メッセージの受信時に、前記移動端末に新規なコネクションＩＤを割り当てるステップと、を含むことを特徴とする方法。
【請求項１２】
前記移動端末がサービスフロー追加を要請すると、動的サービス付加要請(ＤＳＡ-ＲＥＱ)メッセージを受信するステップをさらに含むことを特徴とする請求項１１に記載の方法。
【請求項１３】
前記アクティブ基地局は、前記移動端末に設定されているコネクションに関して、同じサービスフローＩＤ及び異なるコネクションＩＤを有することを特徴とする請求項１１に記載の方法。
【請求項１４】
前記アクティブ基地局からの前記追加されたサービスフローＩＤの応答メッセージの受信時に、動的サービス付加応答(ＤＳＡ-ＲＳＰ)メッセージを前記移動端末に伝送するステップをさらに含むことを特徴とする請求項１１に記載の方法。
【請求項１５】
無線接続チャンネルを介して移動端末と通信するサービング基地局と、前記移動端末のアクティブセットとして決定された少なくとも１つのアクティブ基地局と、を含む移動通信システムの前記サービング基地局において、前記移動端末のサービスフローを変更する方法であって、
前記移動端末からサービスフロー変更要請を受信すると、サービスフローＩＤを変更するステップと、
前記変更されたサービスフローＩＤを所定のメッセージを用いて前記アクティブ基地局に伝送するステップと、
前記アクティブ基地局からの前記変更されたサービスフローＩＤの応答メッセージの受信時に、前記移動端末に前記変更されたサービスフロー情報を伝送するステップと、を含むことを特徴とする方法。
【請求項１６】
前記移動端末がサービスフロー変更を要請すると、動的サービス変更要請(ＤＳＣ-ＲＥＱ)メッセージを受信するステップをさらに含むことを特徴とする請求項１５に記載の方法。
【請求項１７】
前記アクティブ基地局は、前記移動端末に設定されているコネクションに関して、同じサービスフローＩＤ及び異なるコネクションＩＤを有することを特徴とする請求項１５に記載の方法。
【請求項１８】
前記アクティブ基地局からの前記変更されたサービスフローＩＤの応答メッセージの受信時に、動的サービス変更応答(ＤＳＣ-ＲＳＰ)メッセージを前記移動端末に伝送するステップをさらに含むことを特徴とする請求項１５に記載の方法。
【請求項１９】
無線接続チャンネルを介して移動端末と通信するサービング基地局と、前記移動端末のアクティブセットとして決定された少なくとも１つのアクティブ基地局と、を含む移動通信システムの前記サービング基地局において、前記移動端末のサービスフローを削除する方法であって、
前記移動端末からサービスフロー削除要請を受信すると、サービスフローＩＤを削除するステップと、
前記削除されたサービスフローＩＤを所定のメッセージを用いて前記アクティブ基地局に伝送するステップと、
前記移動端末にコネクションＩＤの削除を知らせるステップと、を含むことを特徴とする方法。
【請求項２０】
前記移動端末がサービスフロー削除を要請すると、動的サービス削除要請(ＤＳＤ-ＲＥＱ)メッセージを受信するステップをさらに含むことを特徴とする請求項１９に記載の方法。
【請求項２１】
前記アクティブ基地局は、前記移動端末に設定されているコネクションに関して、同じサービスフローＩＤ及び異なるコネクションＩＤを有することを特徴とする請求項１９に記載の方法。
【請求項２２】
無線接続チャンネルを介して移動端末と通信するサービング基地局と、前記移動端末のアクティブセットとして決定された少なくとも１つのアクティブ基地局と、を含む移動通信システムの前記サービング基地局において、前記移動端末のサービスフローを管理する方法であって、
前記移動端末からサービスフロー管理要請を受信すると、前記サービスフローに応じてコネクションＩＤを前記移動端末に割り当てるステップと、
前記割り当てられたコネクションＩＤと、前記サービング基地局を除いた前記少なくとも１つのアクティブ基地局において前記サービスフローに応じて前記移動端末に割り当てられたコネクションＩＤとを前記移動端末に伝送するステップと、を含むことを特徴とする方法。
【請求項２３】
前記サービング基地局を除いた前記少なくとも１つのアクティブ基地局に、前記サービスフロー管理要請を知らせる所定のメッセージを伝送するステップをさらに含むことを特徴とする請求項２２に記載の方法。
【請求項２４】
前記サービスフロー管理要請を知らせる所定のメッセージは、サービスフローＩＤを含むことを特徴とする請求項２３に記載の方法。
【請求項２５】
前記サービング基地局を除いた前記少なくとも１つのアクティブ基地局から、サービスフロー管理結果を含む所定のメッセージを受信するステップをさらに含むことを特徴とする請求項２２に記載の方法。
【請求項２６】
前記サービスフロー管理結果を含む所定のメッセージは、前記サービング基地局を除いた前記少なくとも１つのアクティブ基地局において前記サービスフローに応じて前記移動端末に割り当てられたコネクションＩＤを含むことを特徴とする請求項２５に記載の方法。
【請求項２７】
無線接続チャンネルを介して移動端末と通信するサービング基地局と、前記サービング基地局を除いて、前記移動端末のアクティブセットとして決定された少なくとも１つのアクティブ基地局と、を含む移動通信システムの前記移動端末において、サービスフローを管理する方法であって、
サービスフロー管理要請が発生すると、前記サービング基地局に所定のサービスフロー更新メッセージを伝送するステップと、
前記サービング基地局から前記サービスフロー更新要請メッセージに対する応答メッセージを受信し、前記アクティブセットに属する基地局のサービスフローを更新するステップと、を含むことを特徴とする方法。
【発明の詳細な説明】
【技術分野】
【０００１】
本発明は、移動通信システムにおけるサービスフロー(service flow)提供方法に係り、特に、移動端末(Mobile Subscriber Station:ＭＳＳ)又は基地局(ＢＳ)がサービスフロー(service flow)を変更する方法に関する。
【背景技術】
【０００２】
図１、図２及び図３を参照して、従来の技術によるＩＥＥＥ ８０２．１６ｅシステムにおいて、既存のサービスフローを変更する手続きを説明する。
【０００３】
既存のシステムにおけるサービスフローの変更/追加/削除は、１つの端末(ＭＳＳ)と１つの基地局(ＢＳ)との間で定義される手続きである。図１には、移動端末１０により新規なサービスフローを追加する動的サービス追加(Dynamic Service Addition:ＤＳＡ)手続きを示した。
【０００４】
図１を参照すると、移動端末１０が、ステップ１１で、新たにサービスフローを追加するために、該当サービスフローに対するサービスパラメータなどを含む動的サービス付加要請(Dynamic Service Addition Request:ＤＳＡ-ＲＥＱ)メッセージを基地局２０に伝送する。図２には、動的サービス付加要請(ＤＳＡ-ＲＥＱ)メッセージフォーマットの一例を示した。
【０００５】
動的サービス付加要請(ＤＳＡ-ＲＥＱ)メッセージを受信した基地局２０は、ステップ１２で、ＤＳＸ-ＲＶＤ(DSx Received)メッセージを移動端末１０に送信して、動的サービス付加要請(ＤＳＡ-ＲＥＱ)メッセージを受信して処理していることを移動端末１０に知らせる。図３には、ＤＳＸ-ＲＶＤメッセージフォーマットの一例を示した。上記ＤＳＸ-ＲＶＤメッセージは、基地局がＤＳＡ、ＤＳＣ(Dynamic Service Change)及びＤＣＤ(Dynamic Service Deletion)メッセージを受信したとき、移動端末に伝送するメッセージである。基地局２０は、移動端末１０により要請されたサービスフローを追加し、ステップ１３で、その結果を動的サービス付加応答(Dynamic Service Addition Response:ＤＳＡ-ＲＳＰ)メッセージを通じて移動端末１０に伝送する。
【０００６】
図４には、動的サービス付加応答(ＤＳＡ-ＲＳＰ)メッセージフォーマットの一例を示した。動的サービス付加応答(ＤＳＡ-ＲＳＰ)メッセージには、動的サービス付加要請(ＤＳＡ-ＲＥＱ)メッセージの処理結果コード(Confirmation Code:ＣＣ)と、要請した新たなサービスフローに関するパラメータとが含まれる。上記パラメータを図５に示した。
【０００７】
動的サービス付加要請(ＤＳＡ-ＲＥＱ)メッセージで要請されたすべてのパラメータが満たされなければ、動的サービス付加応答(ＤＳＡ-ＲＳＰ)メッセージは“サービスフローエラーセット(Service Flow Error Set)”と呼ばれる失敗フィールドを含む。ステップ１４で、移動端末１０は、動的サービス付加応答(ＤＳＡ-ＲＳＰ)メッセージを受信したことを知らせるために、動的サービス付加応答認識(Dynamic Service Addition Acknowledgement:ＤＳＡ-ＡＣＫ)メッセージを基地局２０に伝送する。図６には、動的サービス付加応答認識(ＤＳＡ-ＡＣＫ)メッセージフォーマットの一例を示した。
【０００８】
図７は、既存のサービスフローのパラメータを変更する動的サービス変更(Dynamic Service Change:ＤＳＣ)手続きを示し、これは、既に生成された１つのサービスフローに対するサービスパラメータ群を変更するために使用されることができる。
【０００９】
図７を参照すると、ステップ３１で、移動端末３０は、変更するサービスフローの新たなトラフィック特性やスケジューリング要求事項を含むサービスフローパラメータを、動的サービス変更要請(Dynamic Service Change Request:ＤＳＣ-ＲＥＱ)メッセージを通じて基地局４０に送信する。図８には、動的サービス変更要請(ＤＳＣ-ＲＥＱ)メッセージフォーマットの一例を示した。
【００１０】
基地局４０は、ステップ３２で、動的サービス変更要請(ＤＳＣ-ＲＥＱ)メッセージを受信し、ＤＳＸ-ＲＶＤメッセージを移動端末３０に送信して、動的サービス変更要請(ＤＳＣ-ＲＥＱ)メッセージを受信して処理していることを移動端末３０に知らせる。基地局４０は、動的サービス変更要請(ＤＳＣ-ＲＥＱ)で要請されたサービスフローに関する変更事項を処理した後に、ステップ３３で、その処理結果コード(ＣＣ)と新たに割り当てられたＣＩＤ(Connection ID)やパラメータを含む動的サービス変更応答(Dynamic Service Change Response:ＤＳＣ-ＲＳＰ)メッセージを移動端末３０に送信する。図９には、動的サービス変更応答(ＤＳＣ-ＲＳＰ)メッセージフォーマットの一例を示した。
【００１１】
移動端末３０は、ステップ３４で、動的サービス変更応答メッセージの受信を知らせる動的サービス変更応答認識(Dynamic Service Change Acknowledgement:ＤＳＣ-ＡＣＫ)メッセージを、基地局４０に伝送する。図１０には、動的サービス変更応答認識(ＤＳＣ-ＡＣＫ)メッセージフォーマットの一例を示した。
【００１２】
次に、図１１は、移動端末が有している既存のサービスフローのうち、１つを削除する動的サービスフロー削除(Dynamic Service Deletion:ＤＳＤ)手続きを説明するための信号流れ図である。
【００１３】
図１１を参照すると、移動端末５０は、ステップ５１で、削除しようとするサービスフローＩＤ(Service Flow ID)を含む動的サービス削除要請(Dynamic Service Deletion Request:ＤＳＤ-ＲＥＱ)メッセージを基地局６０に送信する。図１２には、動的サービス削除要請(Dynamic Service Deletion Request:ＤＳＤ-ＲＥＱ)メッセージフォーマットの一例を示した。
【００１４】
基地局６０は、該当サービスフローを削除した後に、ステップ５２で、処理結果コード(ＣＣ)と削除したサービスフローＩＤなどを含む動的サービス削除応答(Dynamic Service Deletion Response:ＤＳＤ-ＲＳＰ)メッセージを移動端末５０に送信する。図１３には、動的サービス削除応答(Dynamic Service Deletion Response:ＤＳＤ-ＲＳＰ)メッセージフォーマットの一例を示した。
【００１５】
上述したように、既存のＩＥＥＥ ８０２．１６ｅシステムにおいて、移動端末は１つのサービング基地局(Ｓ-ＢＳ)のみに接続するため、移動端末がサービスフローを変更するときに、サービング基地局(Ｓ-ＢＳ)のみでサービスフローに関する処理を実行する。
【００１６】
最近、同じ出願人により出願された韓国特許出願第２００４-１５０４０号の“移動広帯域無線接続システムにおけるハンドオーバー性能改善のためのアクティブ基地局セット支援方法及びシグナリング手続き”に提案されたアクティブ基地局セット概念が導入された。
【００１７】
アクティブＢＳセット(active BS set)とは、移動端末(ＭＳＳ)にデータ送/受信のための無線接続チャンネルを提供するサービング基地局(Ｓ-ＢＳ)と移動端末のハンドオーバーの際に、レンジング(ranging)過程を除いた残りの手続きを遂行する必要のない基地局の集合を意味する。
【００１８】
ここで、レンジング過程は、移動端末が基地局とのタイミング補正及び出力パワー補正などを遂行する過程である。１つの移動端末は、数個のサービスフローを有することができ、各サービスフローは、特定サービス品質(Quality of Service:ＱｏＳ)でサービスされる基本単位であり、サービスフローＩＤ(Service Flow Identifier:ＳＦＩＤ)により区分される。
【００１９】
したがって、移動端末により要請されたサービスフローを、移動端末のすべてのアクティブ基地局が処理可能にする技術が必要である。
【発明の開示】
【発明が解決しようとする課題】
【００２０】
したがって、上記背景に鑑みて、本発明の目的は、移動端末のサービスフローに対する処理要請を、移動端末のすべてのアクティブ基地局が処理可能にする方法を提供することである。
【００２１】
本発明の他の目的は、移動端末の特定サービスフローに対する処理要請時に、移動端末が、ネットワーク-再進入手続きのうち、レンジング過程のみを遂行し、アクティブ基地局セットに含まれたどのアクティブ基地局とも直ぐに接続することにより、迅速なハンドオーバーを可能にする方法を提供することである。
【００２２】
さらに、本発明の他の目的は、２つ以上のアクティブ基地局が特定サービスフローを追加/変更するとき、各々のアクティブ基地局が、サービング基地局を通じてサービスフロー関連パラメータを、重複情報を省略しながら、移動端末に効率よく伝送する方法を提供することである。
【課題を解決するための手段】
【００２３】
本発明の一特徴によれば、無線接続チャンネルを介して移動端末と通信するサービング基地局と、サービング基地局を除いて、移動端末のアクティブセットとして決定された少なくとも１つのアクティブ基地局と、を含む移動通信システムのサービング基地局において、移動端末のサービスフローを管理する方法であって、移動端末からサービスフロー管理要請を受信すると、移動端末とのサービスフローを更新するステップと、更新されたサービスフローを所定のメッセージを用いてアクティブ基地局に伝送するステップと、アクティブ基地局からの更新されたサービスフローの応答メッセージの受信時に、応答メッセージに含まれた各アクティブ基地局のサービスフロー情報を、移動端末に伝送するステップと、を含む。
【００２４】
本発明の他の特徴によれば、無線接続チャンネルを介してサービング基地局と通信する移動端末と、サービング基地局を除いて、移動端末のアクティブセットとして決定された少なくとも１つのアクティブ基地局と、を含む移動通信システムの移動端末において、サービスフローを管理する方法であって、サービスフロー管理要請が発生すると、サービング基地局に所定のサービスフロー更新メッセージを伝送するステップと、サービング基地局からサービスフロー更新メッセージに対する応答を受信し、その受信応答に基づいてサービスフローを更新するステップと、を含む。
【００２５】
本発明のまた他の特徴によれば、無線接続チャンネルを介して移動端末と通信するサービング基地局と、移動端末のアクティブセットとして決定された少なくとも１つのアクティブ基地局と、を含む移動通信システムのサービング基地局において、移動端末のサービスフローを追加する方法であって、移動端末からサービスフロー追加要請を受信すると、サービスフローＩＤ(Service Flow Identifier)を追加するステップと、追加されたサービスフローＩＤを所定のメッセージを用いてアクティブ基地局に伝送するステップと、アクティブ基地局からの追加されたサービスフローＩＤの応答メッセージの受信時に、移動端末に新規なコネクションＩＤ(Connection ＩＤ)を割り当てるステップと、を含む。
【００２６】
本発明のさらにまた他の特徴によれば、無線接続チャンネルを介して移動端末と通信するサービング基地局と、移動端末のアクティブセットとして決定された少なくとも１つのアクティブ基地局と、を含む移動通信システムのサービング基地局において、移動端末のサービスフローを変更する方法であって、移動端末からサービスフロー変更要請を受信すると、サービスフローＩＤを変更するステップと、変更されたサービスフローＩＤを所定のメッセージを用いてアクティブ基地局に伝送するステップと、アクティブ基地局からの変更されたサービスフローＩＤの応答メッセージの受信時に、移動端末に変更されたサービスフロー情報を伝送するステップと、を含む。
【００２７】
その上、本発明の他の特徴によれば、無線接続チャンネルを介して移動端末と通信するサービング基地局と、移動端末のアクティブセットとして決定された少なくとも１つのアクティブ基地局と、を含む移動通信システムのサービング基地局において、移動端末のサービスフローを削除する方法であって、移動端末からサービスフロー削除要請を受信すると、サービスフローＩＤを削除するステップと、削除されたサービスフローＩＤを所定のメッセージを用いてアクティブ基地局に伝送するステップと、移動端末にコネクションＩＤの削除を知らせるステップと、を含む。
【００２８】
本発明のまた他の特徴によれば、無線接続チャンネルを介して移動端末と通信するサービング基地局と、移動端末のアクティブセットとして決定された少なくとも１つのアクティブ基地局と、を含む移動通信システムのサービング基地局において、移動端末のサービスフローを管理する方法であって、移動端末からサービスフロー管理要請を受信すると、サービスフローに応じてコネクションＩＤを移動端末に割り当てるステップと、割り当てられたコネクションＩＤと、サービング基地局を除いた少なくとも１つのアクティブ基地局においてサービスフローに応じて移動端末に割り当てられたコネクションＩＤとを移動端末に伝送するステップと、を含む。
【００２９】
さらに、本発明のまた他の特徴によれば、無線接続チャンネルを介して移動端末と通信するサービング基地局と、サービング基地局を除いて、移動端末のアクティブセットとして決定された少なくとも１つのアクティブ基地局と、を含む移動通信システムの移動端末において、サービスフローを管理する方法であって、サービスフロー管理要請が発生すると、サービング基地局に所定のサービスフロー更新メッセージを伝送するステップと、サービング基地局からサービスフロー更新要請メッセージに対する応答メッセージを受信し、アクティブセットに属する基地局のサービスフローを更新するステップと、を含む。
【発明の効果】
【００３０】
上述したように、本発明は、ＩＥＥＥ ８０２．１６ｅシステムにおいてアクティブ基地局セットを使用する場合の、移動端末と基地局との間のサービスフロー追加/変更/削除方式を提案する。このようなサービスフロー管理方式を使用することによって、２つ以上のアクティブ基地局を有する移動端末が、アクティブ基地局に対して一括的にサービスフローを追加/変更/削除することができる。また、多数のアクティブ基地局で特定サービスフローを変更することによって、移動端末に伝送されるべきサービスフロー関連パラメータに、本発明で定義された接続セッティング(Connection_settings)フィールドを使用して、それにより重複情報の伝送を防止する一方、伝送効率を向上させる。
【発明を実施するための最良の形態】
【００３１】
以下、本発明の好適な実施形態について添付図面を参照しながら、詳細に説明する。図面において、同じ又は類似した構成要素については、他の図面に表示されても、同じ参照符号で表示する。下記の説明において、本発明の要旨のみを明瞭にするために、関連した公知の機能や構成についての具体的な説明は、適宜省略する。
【００３２】
本発明は、１つの移動端末のアクティブ基地局セットに含まれたすべての基地局において、サービスフローを同時に変更するための機能及び手続き、該当メッセージフォーマットを提示する。ここで、サービスの“追加”、“変更”及び“削除”という用語は、サービスの“更新”に関係する。また、“アクティブ基地局セット(active BS set)”とは、サービング基地局(以下、Ｓ-ＢＳと称する)を含み、移動端末のハンドオーバーの際に、ネットワーク-再進入手続きのうち、レンジング過程を除いた残りの手続きを遂行する必要のない基地局の集合を意味する。
【００３３】
本発明は、次のような手続きを含むサービスフロー管理方法を提案する。
【００３４】
(１) ＩＥＥＥ ８０２．１６/８０２．１６ｅシステムにおける２つ以上のアクティブ基地局を有する移動端末の動的サービスフロー追加手続き
【００３５】
(２) ＩＥＥＥ ８０２．１６/８０２．１６ｅシステムにおける２つ以上のアクティブ基地局を有する移動端末の動的サービスフロー変更手続き
【００３６】
(３) ＩＥＥＥ ８０２．１６/８０２．１６ｅシステムにおける２つ以上のアクティブ基地局を有する移動端末の動的サービスフロー解除手続き
【００３７】
上述した３種類の手続きを主として、本発明のアクティブ基地局セットを支援する移動端末のためのサービスフロー管理方案について説明する。
【００３８】
まず、図１４は、３つのアクティブ基地局を含むアクティブ基地局セットを有する移動端末が、新規なサービスフローを追加する実施形態を説明するための信号流れ図である。
【００３９】
図１４を参照すると、３つのアクティブ基地局１１０，１２０，１３０を有する移動端末１００は、ステップ１０１で、新規なサービスフロー追加のために、動的サービス付加要請(ＤＳＡ-ＲＥＱ)メッセージを、サービング基地局(Ｓ-ＢＳ)１１０に伝送する。この動的サービス付加要請(ＤＳＡ-ＲＥＱ)メッセージには、図２の既存のＩＥＥＥ ８０２．１６ＲＥＶｄ_Ｄ３-２００４で定義されたメッセージを使用する。
【００４０】
移動端末１００とサービング基地局(Ｓ-ＢＳ)１１０とは、移動端末１００が３つのアクティブ基地局を有することを認知している。また、移動端末１００は、３つのアクティブ基地局がサービング基地局(Ｓ-ＢＳ)１１０、第１のアクティブ基地局(Ａ-ＢＳ１)１２０及び第２のアクティブ基地局(Ａ-ＢＳ２)１３０であることを認知している。動的サービス付加要請(ＤＳＡ-ＲＥＱ)メッセージを受信したサービング基地局(Ｓ-ＢＳ)１１０は、ステップ１０２で、移動端末１００に図３のＤＳＸ-ＲＶＤメッセージを送信して、動的サービス付加要請(ＤＳＡ-ＲＥＱ)メッセージを受信して処理していることを該移動端末１００に知らせる。
【００４１】
その後、サービング基地局１１０は、ステップ１０３で、残りのアクティブ基地局である第１のアクティブ基地局(Ａ-ＢＳ１)１２０、第２のアクティブ基地局(Ａ-ＢＳ２)１３０に、自分がホストであることを知らせるホスト確認(I-am-host-of)メッセージを伝送する。図１５には、ホスト確認(I-am-host-of)メッセージフォーマットの一例を示した。
【００４２】
図１５を参照すると、ホスト確認(I-am-host-of)メッセージは移動端末固有識別子(MSS unique identifier)を含み、移動端末１００がサービング基地局(Ｓ-ＢＳ)１１０と通信中であることを知らせる。サービング基地局(Ｓ-ＢＳ)１１０からホスト確認(I-am-host-of)メッセージを受信した第１のアクティブ基地局(Ａ-ＢＳ１)１２０及び第２のアクティブ基地局(Ａ-ＢＳ２)１３０は、ホスト確認(I-am-host-of)メッセージ内の移動端末固有識別子を確認する。上記基地局１２０，１３０が移動端末１００のアクティブ基地局なので、各アクティブ基地局１２０，１３０は、ステップ１０４で、該当移動端末１００に対する情報を要請する移動端末情報要請(MSS-info-request)メッセージをそれぞれサービング基地局(Ｓ-ＢＳ)１１０に伝送する。
【００４３】
図１６には、移動端末情報要請(MSS-info-request)メッセージフォーマットの一例を示した。図１６を参照すると、移動端末情報要請(MSS-info-request)メッセージは、１つ以上の移動端末固有識別子を含む。
【００４４】
図１４に点線で表示されたステップ１０３及び１０４は、同時に省略することができる。この場合、次のステップ１０５で伝送される移動端末情報要請応答(MSS-info-response)メッセージは、移動端末情報要請(MSS-info-request)メッセージ無しでも伝送される。
【００４５】
サービング基地局(Ｓ-ＢＳ)１１０は、移動端末情報要請(MSS-info-request)メッセージを受信した後に、ステップ１０５で、これを送信した第１のアクティブ基地局(Ａ-ＢＳ１)及び第２のアクティブ基地局(Ａ-ＢＳ２)に、移動端末情報要請応答(MSS-info-response)メッセージを伝送する。
【００４６】
図１７には、移動端末情報要請応答(MSS-info-response)メッセージフォーマットの一例を示した。図１７を参照すると、移動端末情報要請応答(MSS-info-response)メッセージは、現在移動端末に割り当てられたサービスフローＩＤ(Service Flow ID:ＳＦＩＤ)と、一般的な動的サービス付加要請(ＤＳＡ-ＲＥＱ)メッセージのＴＬＶ値とを含む。移動端末情報要請応答(MSS-info-response)メッセージのＰＫＭ、ＳＢＣ及びＲＥＧなどの情報は省略が可能である。ここで、ＰＫＭ情報は端末の認証関連情報を、ＳＢＣは端末の性能関連情報を、ＲＥＧはＭＡＣ(Medium Access Control)バージョン及び製造会社(vendor)ＩＤなどの端末情報を含む。特に、ＳＦＩＤは、移動端末１００がサービング基地局(Ｓ-ＢＳ)１１０以外の別途のアクティブ基地局へハンドオーバーされるとき、移動端末の各サービスフローに関して同じＳＦＩＤを使用するために必要である。アクティブ基地局は、移動端末との接続設定に関して、同じＳＦＩＤ及び異なる接続ＩＤ(Connection ＩＤ:ＣＩＤ)を有する。
【００４７】
第１のアクティブ基地局(Ａ-ＢＳ１)１２０及び第２のアクティブ基地局(Ａ-ＢＳ２)１３０は、移動端末情報要請応答(MSS-info-response)メッセージを受信し、このメッセージ内の移動端末のネットワークサービス情報エレメントの数及びＴＬＶ値などを確認する。ここで、ＴＬＶ値とは、タイプ(Type)、長さ(Length)及び値(Value)を含むパラメータ値を意味する。このとき、確認された値が、第１のアクティブ基地局(Ａ-ＢＳ１)１２０及び第２のアクティブ基地局(Ａ-ＢＳ２)１３０が移動端末に関して有する値と異なる場合、第１のアクティブ基地局(Ａ-ＢＳ１)１２０及び第２のアクティブ基地局(Ａ-ＢＳ２)１３０は、移動端末１００に関して、適宜なサービスフロー管理を遂行する。特に、図１４に示したように、サービスフローを新たに追加する場合には、第１のアクティブ基地局(Ａ-ＢＳ１)１２０及び第２のアクティブ基地局(Ａ-ＢＳ２)１３０が、ネットワークサービス情報エレメントの数が増加したことを確認し、該当ＴＬＶ値に基づいて移動端末１００に対するサービスフローを１つ追加した後に、ステップ１０６で、その結果を移動端末情報処理結果(MSS-info-confirm)メッセージを用いてサービング基地局(Ｓ-ＢＳ)１１０に伝送する。
【００４８】
図１８には、移動端末情報処理結果(MSS-info-confirm)メッセージフォーマットの一例を示した。図１８を参照すると、移動端末情報処理結果(MSS-info-confirm)メッセージは、アクティブ基地局１２０、１３０におけるサービスフロー処理結果を、サービング基地局(Ｓ-ＢＳ)１１０に伝送するために使用される、本発明で新たに定義したメッセージである。該メッセージは、動的サービス付加応答(ＤＳＡ-ＲＳＰ)メッセージ、動的サービス変更応答(ＤＳＣ-ＲＳＰ)メッセージ及び動的サービス削除応答(ＤＳＤ-ＲＳＰ)メッセージに含まれる処理結果コード(Confirmation code)及びＴＬＶ値を含むことができる。
【００４９】
図１４において、ステップ１０５によるサービスフロー追加を正常的に遂行できないアクティブ基地局は、該当移動端末のアクティブ基地局セットから削除されなければならない。移動端末情報処理結果(MSS-info-confirm)メッセージを受信したサービング基地局(Ｓ-ＢＳ)１１０は、ステップ１０７で、アクティブ基地局で追加されたＳＦＩＤ及びＣＩＤなどのようなサービスフローに対する情報を、動的サービス付加応答(ＤＳＡ-ＲＳＰ)メッセージを用いて移動端末１００に伝える。このとき、動的サービス付加応答(ＤＳＡ-ＲＳＰ)メッセージは、第１のアクティブ基地局(Ａ-ＢＳ１)１２０及び第２のアクティブ基地局(Ａ-ＢＳ２)１３０の両方に対する情報を含む。
【００５０】
本発明の好ましい実施形態では、動的サービス付加応答(ＤＳＡ-ＲＳＰ)メッセージフォーマットを図１９に示したように修正した。図１９を参照すると、本発明による動的サービス付加応答(ＤＳＡ-ＲＳＰ)メッセージは、すべてのアクティブ基地局からのサービスフロー関連情報を含む。したがって、移動端末が有するアクティブ基地局の数に比例してメッセージサイズがずいぶん大きくなることがある。ＩＥＥＥ ８０２．１６システムのように、シグナリング情報を伝送するための専用チャンネルが定義されず、トラフィックチャンネルを用いてシグナリングメッセージを伝送するシステムでは、動的サービス付加応答(ＤＳＡ-ＲＳＰ)メッセージのようにシグナリングメッセージのサイズが大きくなると、適切な遅延内での安定したメッセージの送受信が難しくなる。
【００５１】
上述した問題を解決するために、本発明では、接続セッティング(Connection_settings)フィールドを定義して使用する。この接続セッティング(Connection_settings)フィールドは、アクティブ基地局セットで動的サービスフロー追加を遂行するとき、動的サービス付加応答(ＤＳＡ-ＲＳＰ)メッセージを通じて移動端末１００に伝送すべき各々のアクティブ基地局に対する接続情報(Connection_Info)フィールドの長さを低減するために、本発明で定義するフィールドである。このフィールドは、サービング基地局１１０を除いた残りのアクティブ基地局の接続情報(Connection_Info)を移動端末に伝えるとき、サービング基地局１１０で割り当てられた接続情報(Connection_Info)と同じフィールド、例えば、ＳＦＩＤ、サービス分類名(Service Class Name)などは省略し、異なるフィールド値のみを含む。すると、サービング基地局１１０を除いた残りのアクティブ基地局における接続情報(Connection_Info)フィールドを大いに省略するか、低減することができる。
【００５２】
上述した接続セッティング(Connection_settings)フィールドを使用する動的サービス付加応答(ＤＳＡ-ＲＳＰ)メッセージ/動的サービス変更応答(ＤＳＣ-ＲＳＰ)メッセージの構成は、基本的に同じ移動端末に対する同じサービスフローの追加過程で、各々のアクティブ基地局がサービスフロー追加手続きを別途に遂行しても、その接続情報(Connection_Info)は殆ど同じであるという仮定に基づく。
【００５３】
接続セッティング(Connection_settings)フィールドは、２つ以上のアクティブ基地局を有する移動端末が、動的サービス付加要請(ＤＳＡ-ＲＥＱ)/動的サービス変更要請(ＤＳＣ-ＲＥＱ)メッセージを伝送したときに、動的サービス付加応答(ＤＳＡ-ＲＳＰ)メッセージ/動的サービス変更応答(ＤＳＣ-ＲＳＰ)メッセージに含まれる一方、新規なアクティブ基地局がアクティブ基地局セットに追加されるときにも、使用が可能である。
【００５４】
最後に、ＤＳＡ-ＲＳＰメッセージを受信した移動端末１００は、ステップ１０８で、図６のＤＳＡ-ＡＣＫメッセージをサービング基地局(Ｓ-ＢＳ)１１０に伝送し、すべてのアクティブ基地局に対する移動端末のサービスフロー追加を完了する。
【００５５】
図２０は、本発明の好ましい実施形態による３つのアクティブ基地局セットを有する移動端末が、既存のサービスフローを追加する方法を示した図である。
【００５６】
図２０と図１４との差異点は、図２０に示した手続きの場合、移動端末１５０の動的サービス付加要請(ＤＳＡ-ＲＥＱ)メッセージによるサービング基地局(Ｓ-ＢＳ)１６５の処理結果を、ステップ１５５で、残りのアクティブ基地局である第１のアクティブ基地局(Ａ-ＢＳ１)１７０及び第２のアクティブ基地局(Ａ-ＢＳ２)１８０の処理結果より前に、移動端末１５０に伝送することである。これは、２つ以上のアクティブ基地局を有する移動端末が動的サービス付加要請(ＤＳＡ-ＲＥＱ)メッセージに対する動的サービス付加応答(ＤＳＡ-ＲＳＰ)メッセージを受信するまでの遅延が、１つのサービング基地局(Ｓ-ＢＳ)を有する移動端末が動的サービス付加要請(ＤＳＡ-ＲＥＱ)メッセージに対する動的サービス付加応答(ＤＳＡ-ＲＳＰ)メッセージを受信するまでの遅延より大きくなることを防止するためである。図２０において、第１のアクティブ基地局(Ａ-ＢＳ１)１７０及び第２のアクティブ基地局(Ａ-ＢＳ２)１８０に対するＤＳＡ-ＲＳＰ/ＤＳＡ-ＡＣＫは、第１のアクティブ基地局(Ａ-ＢＳ１)１７０と第２のアクティブ基地局(Ａ-ＢＳ２)１８０に別途に伝送されることもできる。
【００５７】
図２１は、本発明の好ましい実施形態による３つのアクティブ基地局セットを有する移動端末が、既存のサービスフローを変更する方法を説明するための信号流れ図である。
【００５８】
図２１を参照すれば、移動端末２００が、動的サービス付加要請(ＤＳＡ-ＲＥＱ)メッセージの代わりに、変更するサービスフローの新規なトラフィック特性やスケジューリング要求事項を含む動的サービス変更要請(ＤＳＣ-ＲＥＱ)メッセージを伝送すること、その後のステップで、これに対するアクティブ基地局２１０，２２０，２３０における処理結果を、図２２に示した動的サービス変更応答(ＤＳＣ-ＲＳＰ)メッセージを用いて移動端末２００に伝送することを除いては、図１４のサービスフロー追加手続きと類似している。
【００５９】
図２３は、３つのアクティブ基地局セットを有する移動端末が、既存のサービスフローを変更する他の実施形態を説明するための図であって、図２０と処理手続きが類似しているため、その詳細説明を省略する。
【００６０】
図２４は、３つのアクティブ基地局セットを有する移動端末が、既存のサービスフローを削除する実施形態を示した図であって、各手続きは次のようになる。図２４を参照すると、３つのアクティブ基地局１１０，１２０，１３０を有する移動端末３００は、ステップ３０１で、既存のサービスフローを削除するために、動的サービス削除要請(ＤＳＤ-ＲＥＱ)メッセージをサービング基地局(Ｓ-ＢＳ)３１０に伝送する。動的サービス削除要請(ＤＳＤ-ＲＥＱ)メッセージには、図１２の既存ＩＥＥＥ ８０２．１６ＲＥＶｄ_Ｄ３-２００４で定義されたメッセージを使用する。移動端末３００及びサービング基地局(Ｓ-ＢＳ)３１０は、移動端末３００が３つのアクティブ基地局を有し、３つのアクティブ基地局がサービング基地局(Ｓ-ＢＳ)３１０、第１のアクティブ基地局(Ａ-ＢＳ１)３２０及び第２のアクティブ基地局(Ａ-ＢＳ２)３３０であることを認知している。
【００６１】
動的サービス削除要請(ＤＳＤ-ＲＥＱ)メッセージを受信したサービング基地局(Ｓ-ＢＳ)３１０は、該当サービスフローを削除し、ステップ３０２で、移動端末３００に図１３のような動的サービス削除応答(ＤＳＤ-ＲＳＰ)メッセージを送信する。その後、ステップ３０３で、残りのアクティブ基地局である第１のアクティブ基地局(Ａ-ＢＳ１)３２０及び第２のアクティブ基地局(Ａ-ＢＳ２)３３０に、図１５のようなホスト確認(I-am-host-of)メッセージを伝送する。サービング基地局(Ｓ-ＢＳ)３１０からホスト確認(I-am-host-of)メッセージを受信した第１のアクティブ基地局(Ａ-ＢＳ１)３２０及び第２のアクティブ基地局(Ａ-ＢＳ２)３３０は、ホスト確認(I-am-host-of)メッセージ内の移動端末固有識別子(MSS unique identifier)を確認し、ステップ３０４で、移動端末３３０に対するアクティブ基地局として該当移動端末に対する情報を要請する図１６のような移動端末情報要請(MSS-info-request)メッセージを各サービング基地局(Ｓ-ＢＳ)３１０に伝送する。
【００６２】
但し、図２４に点線で表示されたステップ３０３及びステップ３０４は、同時に省略することができる。サービング基地局(Ｓ-ＢＳ)３１０は、移動端末情報要請(MSS-info-request)メッセージを受信し、ステップ３０５で、これを送信した第１のアクティブ基地局(Ａ-ＢＳ１)３２０及び第２のアクティブ基地局(Ａ-ＢＳ２)３３０に、図１７のような移動端末情報要請応答(MSS-info-response)メッセージを伝送する。第１のアクティブ基地局(Ａ-ＢＳ１)３２０及び第２のアクティブ基地局(Ａ-ＢＳ２)３３０は、移動端末情報要請応答(MSS-info-response)メッセージを受信し、そのメッセージ内に含まれる移動端末のネットワークサービス情報エレメントの数及びＴＬＶ値などを確認して、その確認結果に応じて移動端末３００の該当サービスフローを削除する。その後、ステップ３０６で、上記処理結果を図１８のような移動端末情報処理結果(MSS-info-confirm)メッセージを用いてサービング基地局(Ｓ-ＢＳ)３１０に伝送する。
【００６３】
次に、図２５及び図２６Ａ、２６Ｂを参照して移動端末のサービスフロー追加方法による移動端末及びサービング基地局の詳細動作について説明する。
【００６４】
図２５は、本発明の実施形態による図１４の手続きにおいて、移動端末の動作を示したフローチャートであり、図２６Ａ、２６Ｂは、本発明の実施形態による図１４の手続きにおいて、サービング基地局(Ｓ-ＢＳ)の動作を示したフローチャートである。図２５及び図２６Ａ，２６Ｂに示したフローチャートは、本発明の要旨に関連した部分のみを含む。
【００６５】
まず、図２５を参照すると、ステップ５００で、移動端末１００でサービスフローを追加しようとする要請が発生すると、移動端末１００は、ステップ５０１で、動的サービス付加要請(ＤＳＡ-ＲＥＱ)メッセージをサービング基地局(Ｓ-ＢＳ)１１０に伝送する。このとき、移動端末１００は、ステップ５０２で、アクティブ基地局の数が２つ以上であるかを確認する。その結果、アクティブ基地局の数が２つ以上の場合、移動端末１００は、ステップ５０３で、タイマーＴｘｘを駆動させる。仮に、アクティブ基地局の数が１つの場合、移動端末１００は、ステップ５０４で、タイマーＴ７を駆動させる。ステップ５０５で、移動端末１００は、ＤＳＸ-ＲＶＤのためのタイマーＴ１４を駆動させ、ステップ５０６で、伝送した動的サービス付加要請(ＤＳＡ-ＲＥＱ)メッセージを再伝送に備えて格納する。また、移動端末は、ステップ５０７で、動的サービス付加要請(ＤＳＡ-ＲＥＱ)再伝送値を“ＤＳｘ要請再伝送値(Request Retries Value)”値に設定する。
【００６６】
その後、ステップ５２０及び５２１において、タイマーＴ７/ＴｘｘやタイマーＴ１４が満了すると、移動端末１００は、ステップ５２２で、再伝送可否を判断する。その結果、再伝送が不可能であれば、移動端末１００は、ステップ５２３で、動的サービス付加動作を終了する。しかしながら、再伝送が可能であれば、移動端末１００は、ステップ５２４で、動的サービス付加要請(ＤＳＡ-ＲＥＱ)メッセージを記憶させ、ステップ５２５で、Ｔ７/Ｔｘｘタイマーを駆動させる。
【００６７】
その後、移動端末１００は、ステップ５２６で、ＤＳＡ-ＲＥＱ再伝送回数の値を低減させる。仮に、移動端末１００が、ステップ５３０で、サービング基地局(Ｓ-ＢＳ)から動的サービス付加要請応答(ＤＳＡ-ＲＳＰ)メッセージを受信すると、ステップ５３１で、タイマーＴ７/Ｔｘｘを停止させ、ステップ５３２で、動的サービス付加要請応答認識(ＤＳＡ-ＡＣＫ)メッセージをサービング基地局(Ｓ-ＢＳ)に送信し、動的サービス付加(ＤＳＡ)手続きを完了する。仮に、移動端末１００が、ステップ５４０で、サービング基地局(Ｓ-ＢＳ)からＤＳＸ-ＲＶＤメッセージを受信すると、ステップ５４１で、タイマーＴ１４を停止させ、ＤＳＡ-ＲＳＰメッセージを待つ。
【００６８】
図２６Ａ，２６Ｂを参照すると、サービング基地局(Ｓ-ＢＳ)１１０は、ステップ６００で、移動端末１００から動的サービス付加要請(ＤＳＡ-ＲＥＱ)メッセージを受信すると、サービング基地局(Ｓ-ＢＳ)１１０は、ステップ６０１で、ＤＳＸ-ＲＶＤメッセージを移動端末１００に送信する。サービング基地局(Ｓ-ＢＳ)１１０は、ステップ６０２で、移動端末１００に対するサービスフロー追加が完了したかどうかを判断する。その結果、移動端末１００に対するサービスフロー追加が完了していなければ、サービング基地局１１０は、ステップ６０３で、その結果を処理結果コード(ＣＣ)に設定する。この処理結果コードは、サービスフローの成功的な処理(ＣＣ＝‘０')や処理失敗(ＣＣ＝‘１')を表示する。一方、移動端末１００に対するサービスフロー追加が完了すると、サービング基地局１１０は、ステップ６０４で、アップリンクサービスフローを生成する。ここで、アップリンクサービスフローは、移動端末１００からサービング基地局１１０へのサービスフローを意味し、サービング基地局１１０から移動端末１００へのダウンリンクサービスフローと対(pair)をなす。
【００６９】
サービング基地局(Ｓ-ＢＳ)１１０は、ステップ６０５で、移動端末１００のアクティブ基地局の数が２つ以上であるかを確認し、２つ以上の場合には、ステップ６０６で、自分を除いた残りのアクティブ基地局１２０，１３０にホスト確認(I-am-host-of)メッセージを送信し、ステップ６０７で、アクティブ基地局１２０，１３０から移動端末１００に対するサービスフローを生成するための移動端末情報要請メッセージを受信する。すると、サービング基地局１１０は、ステップ６０９で、アクティブ基地局１２０，１３０に移動端末１００の情報を有する移動端末情報要請応答メッセージを送信する。
【００７０】
ステップ６１０で、サービング基地局１１０は、アクティブ基地局１２０，１３０から移動端末情報処理応答メッセージを受信する。ステップ６１０の後やステップ６０５の判断の結果、アクティブ基地局の数が２つ以上でない場合、サービング基地局１１０はステップ６１２へ進む。
【００７１】
ステップ６１２で、サービング基地局１１０は、ＤＳＡ-ＲＳＰメッセージを生成し、ステップ６１３で、これを移動端末１００に送信する。また、サービング基地局１１０は、ステップ６１４で、タイマーＴ８を駆動させる。
【００７２】
サービング基地局(Ｓ-ＢＳ)１１０は、ステップ６１５で、再伝送に備えてＤＳＡ-ＲＳＰメッセージを記憶させ、ステップ６１６で、ＤＳＡ-再伝送値を‘ＤＳｘ要請再伝送値'に設定する。その後、ステップ６２０で、タイマーＴ８が満了すると、サービング基地局１１０は、ステップ６２１で、再伝送可否を判断する。その判断の結果、再伝送が可能な場合、サービング基地局１１０は、ステップ６２３で、記憶されたＤＳＡ-ＲＳＰメッセージを再伝送し、ステップ６２４で、タイマーＴ８を再駆動させる。サービング基地局(Ｓ-ＢＳ)１１０は、ステップ６２５で、ＤＳＡ-ＲＳＰ再伝送値を低減させ、ＤＳＡ-ＡＣＫメッセージを待つ。サービング基地局(Ｓ-ＢＳ)１１０が、ステップ６３０で、ＤＳＡ-ＡＣＫメッセージを受信すると、ステップ６３１で、タイマーＴ８を停止させた後、ステップ６３２で、サービスフロー追加可否を判断する。その判断の結果、サービスフロー追加が可能であれば、サービング基地局１１０は、ステップ６３３で、ダウンリンクサービスフローを生成し、ステップ６３４で、サービスフロー追加手続きを完了する。しかしながら、サービスフロー追加が不可能であれば、サービング基地局１１０は、ステップ６３５で、サービスフローを無効(disable)にする。
【００７３】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【００７４】
【図１】従来の技術による移動広帯域無線接続システムにおける動的サービスフロー追加方法を説明するための信号流れ図である。
【図２】動的サービス付加要請(ＤＳＡ-ＲＥＱ)メッセージフォーマットの一例を示した図である。
【図３】ＤＳＸ-ＲＶＤメッセージフォーマットの一例を示した図である。
【図４】動的サービス付加要請応答(ＤＳＡ-ＲＳＰ)メッセージフォーマットの一例を示した図である。
【図５】処理結果コード(Confirmation code)の形式を示した図である。
【図６】動的サービス付加認識(ＤＳＡ-ＡＣＫ)メッセージフォーマットの一例を示した図である。
【図７】従来の技術によるＩＥＥＥ ８０２．１６/８０２．１６ｅシステムにおける動的サービスフロー変更手続きを説明するための信号流れ図である。
【図８】動的サービス変更要請(ＤＳＣ-ＲＥＱ)メッセージフォーマットの一例を示した図である。
【図９】動的サービス変更応答(ＤＳＣ-ＲＳＰ)メッセージフォーマットの一例を示した図である。
【図１０】動的サービス変更応答認識(ＤＳＣ-ＡＣＫ)メッセージフォーマットの一例を示した図である。
【図１１】従来の技術によるＩＥＥＥ ８０２．１６/８０２．１６ｅシステムにおける動的サービスフロー削除手続きを説明するための信号流れ図である。
【図１２】動的サービス削除要請(ＤＳＤ-ＲＥＱ)メッセージフォーマットの一例を示した図である。
【図１３】動的サービス削除応答(ＤＳＤ-ＲＳＰ)メッセージフォーマットの一例を示した図である。
【図１４】本発明の実施例によるＩＥＥＥ ８０２．１６/８０２．１６ｅシステムにおける動的サービスフロー追加手続きを説明するための信号流れ図である。
【図１５】ホスト確認(I-am-host-of)メッセージフォーマットの一例を示した図である。
【図１６】移動端末情報要請(MSS-info-request)メッセージフォーマットの一例を示した図である。
【図１７】移動端末情報要請応答(MSS-info-response)メッセージフォーマットの一例を示した図である。
【図１８】アクティブ基地局セット(Active BS set)ににおけるサービスフロー管理のために、本発明の好ましい実施形態に応じて新たに定義された移動端末情報処理結果(MSS-info-confirm)メッセージフォーマットの一例を示した図である。
【図１９】アクティブ基地局セットにおけるサービスフロー管理のために、本発明で修正定義された動的サービス付加要請応答(ＤＳＡ-ＲＳＰ)メッセージフォーマットの一例を示した図である。
【図２０】本発明の好ましい実施形態によるＩＥＥＥ ８０２.１６/８０２.１６ｅシステムにおける動的サービスフロー追加手続きを説明するための流れ図である。
【図２１】本発明の好ましい他の実施形態によるＩＥＥＥ ８０２.１６/８０２.１６ｅシステムにおける動的サービスフロー変更手続きを説明するための信号流れ図である。
【図２２】アクティブ基地局セットにおけるサービスフロー管理のために、本発明の好ましい実施形態で修正定義された動的サービス変更応答(ＤＳＣ-ＲＳＰ)メッセージフォーマットの一例を示した図である。
【図２３】本発明のまた他の実施形態によるＩＥＥＥ ８０２.１６/８０２.１６ｅシステムにおける動的サービスフロー変更手続きを説明するための信号流れ図である。
【図２４】本発明の実施形態によるＩＥＥＥ ８０２.１６/８０２.１６ｅシステムにおける動的サービスフロー削除手続きを説明するための信号流れ図である。
【図２５】本発明の実施形態による図１４の手続きにおける移動端末の動作を示したフローチャートである。
【図２６Ａ】本発明の実施形態による図１４の手続きにおけるサービング基地局(Ｓ-ＢＳ)の動作を示したフローチャートである。
【図２６Ｂ】本発明の実施形態による図１４の手続きにおけるサービング基地局(Ｓ-ＢＳ)の動作を示したフローチャートである。
【符号の説明】
【００７５】
１０    移動端末
２０    基地局
３０    移動端末
４０    基地局
５０    移動端末
６０    基地局
１００    移動端末
１１０    サービング基地局(Ｓ-ＢＳ)
１２０    第１のアクティブ基地局(Ａ-ＢＳ１)
１３０    第２のアクティブ基地局(Ａ-ＢＳ２)
１５０    移動端末
１６５    サービング基地局(Ｓ-ＢＳ)
１７０    第１のアクティブ基地局(Ａ-ＢＳ１)
１８０    第２のアクティブ基地局(Ａ-ＢＳ２)
２００    移動端末
２１０    サービング基地局(Ｓ-ＢＳ)
２２０    第１のアクティブ基地局(Ａ-ＢＳ１)
２３０    第２のアクティブ基地局(Ａ-ＢＳ２)
２５０    移動端末
２６５    サービング基地局(Ｓ-ＢＳ)
２７０    第１のアクティブ基地局(Ａ-ＢＳ１)
２８０    第２のアクティブ基地局(Ａ-ＢＳ２)
３００    移動端末
３１０    サービング基地局(Ｓ-ＢＳ)
３２０    第１のアクティブ基地局(Ａ-ＢＳ１)
３３０    第２のアクティブ基地局(Ａ-ＢＳ２)
【図１】
2007525925.tif 000003
【図２】
2007525925.tif 000004
【図３】
2007525925.tif 000005
【図４】
2007525925.tif 000006
【図５】
2007525925.tif 000007
【図６】
2007525925.tif 000008
【図７】
2007525925.tif 000009
【図８】
2007525925.tif 000010
【図９】
2007525925.tif 000011
【図１０】
2007525925.tif 000012
【図１１】
2007525925.tif 000013
【図１２】
2007525925.tif 000014
【図１３】
2007525925.tif 000015
【図１４】
2007525925.tif 000016
【図１５】
2007525925.tif 000017
【図１６】
2007525925.tif 000018
【図１７】
2007525925.tif 000019
【図１８】
2007525925.tif 000020
【図１９】
2007525925.tif 000021
【図２０】
2007525925.tif 000022
【図２１】
2007525925.tif 000023
【図２２】
2007525925.tif 000024
【図２３】
2007525925.tif 000025
【図２４】
2007525925.tif 000026
【図２５】
2007525925.tif 000027
【図２６Ａ】
2007525925.tif 000028
【図２６Ｂ】
2007525925.tif 000029
【国際調査報告】
2007525925.tif 000030
2007525925.tif 000031